(57)【要約】【課題】ＯＰＣを実行せずにダミー発光によるパワーアジャストメントを実行する際、光ディスクによる反射光がパワー制御用モニタに入射し、正確なレーザーパワーを得ることができず、記録開始時のレーザーパワーが最適な記録レーザーパワーからずれ、記録開始直後の記録品質が悪化する問題が発生する。【解決手段】光ディスク装着後に光ディスクに記録しないようにフォーカスオフにてダミー発光させ、その発光パワーに応じたパワーモニタ値を取得する手段を備え、光ディスクにデータを記録する前にＯＰＣ実績の確認が得られた場合、再度ＯＰＣを実行せず前記ダミー発光にて得られたパワーモニタ値をもとに記録レーザーパワーを設定するパワーアジャストメントを実行するとき、パワーアジャストメントの結果に対し補正を実施するものである【選択図】  図１
2004335050.tif 000002
【特許請求の範囲】
【請求項１】
光源から出射されるレーザービームを対物レンズで集光し、光ディスクにデータ記録する光ディスク装置であって、光ディスクに記録しないようにフォーカスオフにて光源からダミー発光させ、前記光源から光ディスクを介さずに得られる第１の光と光ディスクから反射された第２の光とを含む光から得られるパワーモニタ値を取得する取得手段と、前記ダミー発光にて得られた前記パワーモニタ値に応じた記録レーザーパワーを設定する際、前記パワーモニター値の中に含まれる前記第２の光の影響度合いを予め設定しておき、前記記録レーザーパワーを前記第２の光の影響度合いを考慮して補正する補正手段とを備えたことを特徴とする光ディスク装置。
【請求項２】
第２の光の影響度合いを考慮して補正する手段は、ダミー発光にて得られたパワーモニタ値に応じた記録レーザーパワーを出力するレーザーパワー決定電圧に、一定の補正量を加えることを特徴とする請求項１記載の光ディスク装置。
【請求項３】
一定の補正量は、レーザーパワー決定電圧の５％から２０％の範囲であることを特徴とする請求項２記載の光ディスク装置。
【請求項４】
第２の光の影響度合いを考慮して補正する手段は、レーザーの発光パワーの１０ｍＷから５０ｍＷにかけて、ダミー発光にて得られたパワーモニタ値に応じた記録レーザーパワーを出力するレーザーパワー決定電圧の約＋８％から約＋１７％の漸増する補正値を、前記レーザーパワー決定電圧に加えることを特徴とする請求項１記載の光ディスク装置。
【請求項５】
ダミー発光にて得られたパワーモニタ値に応じた記録レーザーパワーを設定する際に、光ディスク板面変位に対応したフォーカス誤差信号のＳ字状の信号のＳ字中心から、対物レンズを光ディスク板面に対し垂直に移動させてダミー発光する手段を備えたことを特徴とする請求項１記載の光ディスク装置。
【請求項６】
フォーカス誤差信号のＳ字状の信号のＳ字中心より、一定距離以上対物レンズを光ディスク板面に対し垂直に移動させてダミー発光する手段を備え、前記一定距離は前記光ディスクで反射された漏れ光の影響が最大となる距離であることを特徴とする請求項５記載の光ディスク装置。
【請求項７】
フォーカス誤差信号のＳ字状の信号のＳ字中心より、０．１５ｍｍ以上対物レンズを光ディスク板面に対し垂直に移動させてダミー発光する手段を備えたことを特徴とする請求項５記載の光ディスク装置。
【発明の詳細な説明】
【０００１】
【発明の属する技術分野】
本発明は光ピックアップにより光ディスクへ情報を記録あるいは、光ディスクの情報を再生する光ディスク装置に関する。
【０００２】
【従来の技術】
従来の光ディスク装置の記録レーザーパワーの補正としては、例えば実開平０１−１１２４４１号公報に開示されており、その補正方法を図面に従い説明する。
【０００３】
図６は従来の光ディスク装置を示すブロック図である。１はデータが記録される光ディスクであり、スピンドルモータ駆動回路６よりスピンドルモータ４へ電流が供給され駆動する。２はデータの記録、再生を行う光ピックアップ、３は光ピックアップ内にアクチュエータにて保持されているレーザー集光用の対物レンズであり、アクチュエータ駆動回路５により光ディスク１の上下方向、半径方向に駆動される。光ピックアップ２はレーザー駆動回路１２より電流が供給され、所定のパワーでレーザーを光ディスク１へ出射する。光ディスク１からの反射光は光ピックアップで受け、光検出器８で電気信号に変換されサーボエラー信号が検出される。サーボエラー信号はサーボプロセッサ７のフィードバック信号として使用され、アクチュエータ駆動回路５およびスピンドルモータ駆動回路６が制御される。レーザー駆動回路１２はＤ／Ａ変換器１３よりレーザーの駆動電流を決定するためレーザーパワー決定電圧が入力される。１４は論理判断や演算を行うためのＣＰＵ。１５はメモリであり、制御のために必要な記憶領域の他、各種の記録制御、再生制御に必要な記憶領域として使用される。光ディスク１への記録時は、光ディスク１へ出射されるレーザーはパワー制御用モニタ９で電圧変換され、レーザーパワーに応じた電圧がサンプリング手段１０を通じ比較器１１へ入力される。一方、最適記録レーザーパワーに応じた制御値がメモリ１５に保存されており、ＣＰＵ１４によって制御値がメモリ１５より取得されＤ／Ａ変換器１３により比較器１１へ入力される。比較器１１は、サンプリング手段１０より入力される電圧値と、Ｄ／Ａ変換器１３により入力される電圧値を比較する。ＣＰＵ１４はその比較結果をもとに、サンプリング手段１０から比較器１１へ入力される電圧値が、Ｄ／Ａ変換器１３から比較器１１へ入力される電圧値になるようレーザー駆動回路１２を制御する。
【０００４】
図７は従来の光ディスク装置におけるパワーアジャストメント時の記録レーザーパワー決定の処理の一例を示したフローチャートである。光ディスク１が装着されると（Ｓ１）、パワーアジャストメントを実施する。すなわち、光ピックアップ内にアクチュエータにて保持されているレーザー集光用対物レンズを上下方向へ駆動し、光ディスク１に記録しないようにフォーカスオフにてダミー発光させ（Ｓ２）、その発光パワーに応じたパワーモニタ値を取得し（Ｓ３）、光ディスク１に記録することなく、レーザーパワーと光ピックアップへ供給される電流値の関係を取得する。パワーモニタ値を取得は光ディスク１に向かうレーザ光の一部を取り出し検知して行なう。その後光ディスク情報を読み込み、メインメモリから過去ＯＰＣの実績を読み込む（Ｓ４）。光ディスク情報から、装着したディスクの過去のＯＰＣ実績が有るか確認する（Ｓ５）。ＯＰＣ実績が確認されない場合はＯＰＣを実施し（Ｓ６）、最適記録レーザーパワーを得る。ＯＰＣ実績が確認された場合は、Ｓ３で取得したレーザーパワーとレーザー駆動回路に設定されるレーザーパワー決定電圧の関係より、メインメモリに保持された最適記録レーザーパワーに対応したレーザーパワー決定電圧値を求める（Ｓ７）。
【０００５】
最適記録レーザーパワーを決定する最適記録レーザーパワー制御手段（以下ＯＰＣ：Ｏｐｔｉｍｕｍ  Ｐｏｗｅｒ  Ｃｏｎｔｒｏｌ）では、光ディスク１内周のテスト領域を使用して記録するためＯＰＣの回数には限度がある。光ディスク１のテスト領域を有効利用するために、以前に記録した光ディスク１の情報とＯＰＣ結果の最適記録レーザーパワーをメインメモリに保持し、再度その光ディスク１に記録するときはＯＰＣをせずにメインメモリに保持された最適記録レーザーパワーを使用する方法がとられる。最適記録レーザーパワーは保持しているものの、レーザー駆動回路より光ピックアップへ供給される電流値を保持していない場合の措置として、記録前にパワーアジャストメントを実施する。フォーカスオフで一定パワーをダミー発光させ、光ディスク１に記録することなくレーザーパワーとレーザー駆動回路に設定されるレーザーパワー決定電圧の関係を取得する。この関係をもとにメインメモリに保持された最適記録レーザーパワーに対応したレーザーパワー決定電圧値を求め、記録開始時にレーザー駆動回路に設定される。
【０００６】
【特許文献１】
実開平０１−１１２４４１号公報
【０００７】
【発明が解決しようとする課題】
しかしながら、光ディスクへフォーカスオフでレーザーを出射すると光ディスクで反射された漏れ光（以下迷光）がパワー制御用モニタに入射し、正確なレーザーパワーを得ることができない。そのためＯＰＣをせずに記録する場合は、記録開始時のレーザーパワーが最適な記録レーザーパワーからずれ、記録開始直後の記録品質が悪化する問題を有していた。
【０００８】
【課題を解決するための手段】
かかる問題を解決するために、本発明の光ディスク装置は、光ディスクへデータを記録するための最適記録レーザーパワーを決定するＯＰＣと、光ディスク装着後に光ディスクに記録しないようにフォーカスオフにてダミー発光させ、その発光パワーに応じたパワーモニタ値を取得する手段を備え、光ディスクにデータを記録する前にＯＰＣ実績の確認が得られた場合、最適記録レーザーパワー値はメインメモリに保持されているため、再度ＯＰＣを実行せず前記ダミー発光にて得られたパワーモニタ値をもとに記録レーザーパワーを設定するパワーアジャストメントを実行するとき、その初期設定値に光ディスクで反射された迷光の影響を補正する手段を備える構成とした。
【０００９】
これによって、ＯＰＣを実行せずにフォーカスオフによるダミー発光でパワーアジャストメントを実行する際、パワーアジャストメントの結果に対し一定の補正を実施することで記録開始時に最適な記録レーザーパワー値が設定でき、安定した記録品質を得ることができる。
【００１０】
【発明の実施の形態】
本発明の請求項１に記載の発明は、光源から出射されるレーザービームを対物レンズで集光し、光ディスクにデータ記録する光ディスク装置であって、光ディスクに記録しないようにフォーカスオフにて光源からダミー発光させ、前記光源から光ディスクを介さずに得られる第１の光と光ディスクから反射された第２の光とを含む光から得られるパワーモニタ値を取得する取得手段と、前記ダミー発光にて得られた前記パワーモニタ値に応じた記録レーザーパワーを設定する際、前記パワーモニター値の中に含まれる前記第２の光の影響度合いを予め設定しておき、前記記録レーザーパワーを前記第２の光の影響度合いを考慮して補正する補正手段とを備えたことを特徴とする光ディスク装置であり、ＯＰＣを実行せずにダミー発光によるパワーアジャストメントを実行する際、パワーアジャストメントの結果に対し補正を実施することで記録開始時に記録レーザーパワー値の最適化ができる作用を有する。
【００１１】
本発明の請求項２に記載の発明は、第２の光の影響度合いを考慮して補正する手段は、ダミー発光にて得られたパワーモニタ値に応じた記録レーザーパワーを出力するレーザーパワー決定電圧に、一定の補正量を加えることを特徴とする請求項１記載の光ディスク装置であり、記録レーザーパワー値の最適化を簡単な手法で実現できる。
【００１２】
本発明の請求項３に記載の発明は、一定の補正量は、レーザーパワー決定電圧の５％から２０％の範囲である請求項２記載の光ディスク装置であり、記録レーザーパワー値の最適化を簡単な手法で実現できる。
【００１３】
本発明の請求項４に記載の発明は、第２の光の影響度合いを考慮して補正する手段は、レーザーの発光パワーの１０ｍＷから５０ｍＷにかけて、ダミー発光にて得られたパワーモニタ値に応じた記録レーザーパワーを出力するレーザーパワー決定電圧の約＋８％から約＋１７％の漸増する補正値を、前記レーザーパワー決定電圧に加えることを特徴とする請求項１記載の光ディスク装置であり、記録レーザーパワー値の更なる最適化を実現できる。
【００１４】
本発明の請求項５に記載の発明は、ダミー発光にて得られたパワーモニタ値に応じた記録レーザーパワーを設定する際に、光ディスク板面変位に対応したフォーカス誤差信号のＳ字状の信号のＳ字中心から、対物レンズを光ディスク板面に対し垂直に移動させてダミー発光する手段を備えた請求項１記載の光ディスク装置であり、迷光量の影響を少なくしてパワーアジャストメントを実行することで記録開始時に記録レーザーパワー値の最適化ができる。
【００１５】
本発明の請求項６に記載の発明は、フォーカス誤差信号のＳ字状の信号のＳ字中心より、一定距離以上対物レンズを光ディスク板面に対し垂直に移動させてダミー発光する手段を備え、前記一定距離は前記光ディスクで反射された漏れ光の影響が最大となる距離であることを特徴とする請求項５記載の光ディスク装置であり、迷光量の影響をより少なくしてパワーアジャストメントを実行することができ、記録開始時に記録レーザーパワー値の更なる最適化ができる。
【００１６】
本発明の請求項７に記載の発明は、フォーカス誤差信号のＳ字状の信号のＳ字中心より、０．１５ｍｍ以上対物レンズを光ディスク板面に対し垂直に移動させてダミー発光する手段を備えた請求項５記載の光ディスク装置であり、迷光量の影響をさらに少なくしてパワーアジャストメントを実行することができ、記録開始時に記録レーザーパワー値の更なる最適化ができる。
【００１７】
以下本発明の実施の形態について、図面を参照しながら説明する。
【００１８】
（実施の形態）
図１は本発明の実施の形態における光ディスク装置を示すブロック図である。図１において、１はデータが記録される光ディスクであり、スピンドルモータ駆動回路６よりスピンドルモータ４へ電流が供給され駆動する。２はデータの記録、再生を行う光ピックアップ、３は光ピックアップ内にアクチュエータにて保持されているレーザー集光用の対物レンズであり、アクチュエータ駆動回路５により光ディスク１の上下方向、半径方向に駆動される。光ピックアップ２はレーザー駆動回路１２より電流が供給され、所定のパワーでレーザーを光ディスク１へ出射する。光ディスク１からの反射光は光ピックアップで受け、光検出器８で電気信号に変換されサーボエラー信号が検出される。サーボエラー信号はサーボプロセッサ７のフィードバック信号として使用され、アクチュエータ駆動回路５、スピンドルモータ駆動回路６が制御される。レーザー駆動回路１２はＤ／Ａ変換器１３よりレーザーの駆動電流を決定するためレーザーパワー決定電圧が入力される。１４は論理判断や演算を行うためのＣＰＵ。１５はメモリであり、制御のために必要な記憶領域の他、各種の記録制御、再生制御に必要な記憶領域として使用される。光ディスク１への記録時は、光ディスク１へ出射されるレーザーはパワー制御用モニタ９で電圧変換され、レーザーパワーに応じた電圧がサンプリング手段１０を通じ比較器１１へ入力される。一方、最適記録レーザーパワーに応じた制御値がメモリ１５に保存されており、ＣＰＵ１４によって制御値がメモリ１５より取得されＤ／Ａ変換器１３により比較器１１へ入力される。比較器１１はサンプリング手段１０より入力される電圧値と、Ｄ／Ａ変換器１３により入力される電圧値を比較する。ＣＰＵ１４はその比較結果をもとに、サンプリング手段１０から比較器１１へ入力される電圧値が、Ｄ／Ａ変換器１３から比較器１１へ入力される電圧値になるようレーザー駆動回路１２を制御する。以上のように構成された光ディスク装置において、ＯＰＣを実行せずにダミー発光によるパワーアジャストメントを実行する際に、記録開始時に最適な記録レーザーパワー値を得ることができる補正方法について説明する。
【００１９】
図２は本発明の光ディスク装置におけるパワーアジャストメント時の記録レーザーパワー決定の処理の一例を示したフローチャートである。光ディスク１が装着されると（Ｓ１）、パワーアジャストメントを実施する。すなわち、光ピックアップ内にアクチュエータにて保持されているレーザー集光用対物レンズを上下方向へ駆動し、光ディスク１に記録しないようにフォーカスオフにてダミー発光させ（Ｓ２）、その発光パワーに応じたパワーモニタ値を取得し（Ｓ３）、光ディスク１に記録することなく、レーザーパワーと光ピックアップへ供給される電流値の関係を取得する。パワーモニタ値を取得は光ディスク１に向かうレーザ光の一部を取り出し検知して行なう。その後、光ディスク情報を読み込み、メインメモリから過去ＯＰＣの実績を読み込む（Ｓ４）。光ディスク情報から、装着したディスクの過去のＯＰＣ実績が有るか確認する（Ｓ５）。ＯＰＣ実績が確認されない場合はＯＰＣを実施し（Ｓ６）、最適記録レーザーパワーを得る。ＯＰＣ実績が確認された場合は、Ｓ３で取得したレーザーパワーとレーザー駆動回路に設定されるレーザーパワー決定電圧の関係より、メインメモリに保持された最適記録レーザーパワーに対応したレーザーパワー決定電圧値を求める（Ｓ７）。フォーカスオフによるダミー発光で光ディスク１による迷光がパワー制御用モニタに入射し、実際に光ピックアップより出射されているレーザーパワーより高いパワーが取得されるため、迷光分を補正するよう、算出された記録開始時のレーザーパワー決定電圧にソフトウェアにて補正を加える（Ｓ８）。
【００２０】
図３は光ディスクを装着しフォーカスをオンにした場合と、フォーカスをオフにした場合の、設定パワーに対するパワーモニタ値の変化を示すグラフである。フォーカスオフによるダミー発光では光ディスク１による迷光がパワー制御用モニタに入射し、設定レーザーパワーより高いパワー値が取得される。その結果、迷光によるパワーモニタ値の上昇分だけ、記録開始時のレーザーパワー決定電圧が小さくなる。迷光によるパワーモニタ値のずれは、発光パワーが１０ｍＷのとき約＋８％、３０ｍＷのとき約＋１６％、５０ｍＷのとき約＋１７％である。
【００２１】
したがって、パワーアジャストメントの結果算出された記録開始時のレーザーパワー決定電圧に、＋８％から＋１７％の範囲の補正をおこなうことで、迷光分の補正が可能となる。具体的には、パワーアジャストメントの結果算出された記録開始時のレーザーパワー決定電圧に一定の補正量を加えた値を初期設定値とする。好ましくは、パワーアジャストメントの結果算出された記録開始時のレーザーパワー決定電圧の５％から２０％に相当する一定値を加えた値を初期設定値とする。また好ましくは発光パワーの１０ｍＷから５０ｍＷにかけて、発光パワーの約＋８％から約＋１７％の漸増する補正値を加えた値を初期設定値とする。
【００２２】
図４は光ディスクを装着し、アクチュエータ駆動回路へ外部より電圧を印加し、光ピックアップ内にアクチュエータにて保持されているレーザー集光用対物レンズを上下方向へ駆動したときのパワーモニタ信号と光ディスク板面変位に対応したＳ字状のフォーカス誤差信号を示すグラフ。光ディスク１へ記録しているときはサーボエラー信号のフィードバックにより、対物レンズはフォーカス誤差信号がＳ字の中心になるように制御される。一方、対物レンズがＳ字中心から上下方向へ移動すると、光ディスク１からの迷光がパワー制御用モニタへ入力し、対物レンズの上下方向の距離に応じてパワーモニタ値が変動する。このＳ字中心からのパワーモニタ値の差が、記録開始時のレーザーパワーが最適な記録レーザーパワーからずれる要因となる。
【００２３】
図５は光ディスクを装着し、発光パワーを変化させ、光ピックアップ内にアクチュエータにて保持されているレーザー集光用対物レンズを上下方向へ駆動したときのパワーモニタ値を示すグラフである。発光パワーは１０ｍＷ、３０ｍＷ、５０ｍＷと変化させている。発光パワーによらず、対物レンズをＳ字中心より上下０．１ｍｍから０．１５ｍｍの範囲に移動させたときにパワーモニタ値が最大になっており、迷光の影響が最大となるが、０．１５ｍｍ以上では迷光の影響が低減されるこれより、光ディスク１に記録しないようにフォーカスオフにてダミー発光させるパワーアジャストメントにおいては、迷光の影響を極力小さくするために、対物レンズをフォーカス誤差信号のＳ字中心より０．１５ｍｍ以上に上下に移動させることが有効である。
【００２４】
以上の構成によって、ＯＰＣを実行せずにフォーカスオフによるダミー発光でパワーアジャストメントを実行する際、光ディスク１による迷光の影響を補正し、記録開始時に最適な記録レーザーパワー値を設定できる。
【００２５】
【発明の効果】
以上のように本発明の光ディスク装置は、ＯＰＣを実行せずにフォーカスオフによるダミー発光にて得られたパワーモニタ値をもとに記録レーザーパワーを設定するパワーアジャストメントを実行するとき、その初期設定値に光ディスクで反射された迷光の影響を補正することで、記録開始時に最適な記録レーザーパワー値を設定できる光ディスク装置を実現できるものである。
【図面の簡単な説明】
【図１】本発明の実施の形態における光ディスク装置を示すブロック図
【図２】本発明の光ディスク装置におけるパワーアジャストメント時の記録レーザーパワー決定の処理の一例を示したフローチャート
【図３】光ディスクを装着しフォーカスをオンにした場合と、フォーカスをオフにした場合の、設定パワーに対するパワーモニタ値の変化を示すグラフ
【図４】光ディスクを装着し、アクチュエータ駆動回路へ外部より電圧を印加し、光ピックアップ内にアクチュエータにて保持されているレーザー集光用対物レンズを上下方向へ駆動したときのパワーモニタ信号と光ディスク板面変位に対応したＳ字状のフォーカス誤差信号を示すグラフ
【図５】光ディスクを装着し、発光パワーを変化させ、光ピックアップ内にアクチュエータにて保持されているレーザー集光用対物レンズを上下方向へ駆動したときのパワーモニタ値を示すグラフ
【図６】従来の光ディスク装置を示すブロック図
【図７】従来の光ディスク装置におけるパワーアジャストメント時の記録レーザーパワー決定の処理の一例を示したフローチャート
【符号の説明】
１  光ディスク
２  光ピックアップ
３  対物レンズ
４  スピンドルモータ
５  アクチュエータ駆動回路
６  スピンドルモータ駆動回路
７  サーボプロセッサ
８  光検出器
９  パワー制御用モニタ
１０  サンプリング手段
１１  比較器
１２  レーザー駆動回路
１３  Ｄ／Ａ変換器
１４  ＣＰＵ
１５  メモリ
【図１】
2004335050.tif 000003
【図２】
2004335050.tif 000004
【図３】
2004335050.tif 000005
【図４】
2004335050.tif 000006
【図５】
2004335050.tif 000007
【図６】
2004335050.tif 000008
【図７】
2004335050.tif 000009